(57)【要約】【課題】オリジナル原稿に対して消色インクにより書き込まれた原稿画像を読み取って記録するとともに、消色インクを消去してオリジナル原稿に戻す処理を一連の動作で簡易に実行できるようにする。【解決手段】原稿読取装置（１）は、制御部（３０１）により動作する動作モードとして、スキャナ部（原稿読取部）（３０２）により原稿画像を読み取った後、第１および第２ヒータ（９１，９２）により原稿を加熱する第１モードと、スキャナ部（３０２）により原稿画像を読み取った後、第１および第２ヒータ（９１，９２）による原稿の加熱を行わずに原稿を排出する第２モードと、を少なくとも有し、制御部（３０１）は、第１モード、および第２モードを切り換えて実行する。【選択図】図２
2016092495.tif 000002
【特許請求の範囲】
【請求項１】
原稿画像を読み取って画像データを生成する画像読取部を備えた原稿読取装置であって、
原稿の搬送路中に設けられたヒータと、
前記原稿読取装置の動作モードを制御する制御部とを有し、
前記制御部により動作する動作モードとして、
前記画像読取部により原稿画像を読み取った後、前記ヒータにより原稿を加熱する第１モードと、
前記画像読取部により原稿画像を読み取った後、前記ヒータによる原稿の加熱を行わずに前記原稿を排出する第２モードと、を少なくとも有し、
前記制御部は、前記第１モード、および前記第２モードを切り換えて実行することを特徴とする原稿読取装置。
【請求項２】
請求項１に記載の原稿読取装置において、
前記制御部により動作する動作モードとして、
さらに前記画像読取部による原稿画像の読み取りを行わず、前記ヒータにより原稿を加熱する第３モードとを有し、
前記制御部は、前記第１モード、前記第２モード、および前記第３モードを切り換えて実行することを特徴とする原稿読取装置。
【請求項３】
請求項１または２に記載の原稿読取装置において、
前記ヒータは、前記原稿の搬送路中で、前記画像読取部の下流側に設けられていることを特徴とする原稿読取装置。
【請求項４】
請求項１または２に記載の原稿読取装置において、
前記原稿搬送路は、前記ヒータによる原稿の加熱と、前記画像読取部による原稿画像の読み取りとを行うための搬送路を、複数回連続して前記原稿が循環する構成を有することを特徴とする画像読取装置。
【発明の詳細な説明】
【技術分野】
【０００１】
本発明は、原稿読取装置、より詳細には、加熱により消色するインキを用いた原稿画像を読み取って表示できるようにした原稿読取装置に関する。
【背景技術】
【０００２】
温度変化により有色から無色に変化する消色インクが知られている。消色インクは、例えば感温変色性の顔料を含有し、加熱することにより有色状態から無色状態に変化する。消色インクを利用したペンでは、そのペンを用いて書いた筆跡を専用ラバーで擦ることにより、摩擦熱によりインキを加熱して消色し、筆跡を消すことができる。消色インクの技術は、例えば特許文献２に開示されている。
【０００３】
原稿から画像データを読み取る原稿読取装置において、消色インクを用いて原稿の所望の領域を指定し、指定した領域内に所定の処理を行う技術が特許文献１に開示されている。特許文献１の原稿読取装置は、原稿搬送路中で原稿を加熱するヒータを備え、ヒータによる加熱を行わずに画像読取部で読み取った画像データと、加熱を行って画像読取部で読み取った画像データとを比較することで、加熱により変性して消色する着色材料により描画された描画画像データを抽出する。そして抽出した描画画像データで囲まれた指定領域を判定し、その指定領域の画像データに対して文字認識処理を行い、文字認識部で認識された文字または文字列に応じて予め定められた動作を実行する。
【先行技術文献】
【特許文献】
【０００４】
【特許文献１】特開２００９−１１８３０９号公報
【特許文献２】特開２００６−６３２３８号公報
【発明の概要】
【発明が解決しようとする課題】
【０００５】
不揮発性のインクやトナーなどの消色性を有しない着色手段を用いて原稿画像が描画されているオリジナル原稿に対して、消色インクを用いて書込みを加えることが可能である。
例えば、複数人が参加する会議等で、会議資料として配布されるオリジナル原稿に対して、特定の参加者が消色インクにより個人的に書込みを加えたような場合、持ち帰ったオリジナル原稿を例えば部門内で共有しようとすると、その書込みを全て消去する必要があり、利用者の負担になる。また、消色インクを用いた書込みを全て消去してしまうと、個人的に必要な情報まで消去してしまうことになり、利便性が悪い。
【０００６】
すなわちオリジナル原稿に対して書き込みを行ったときに、書き込む前のオリジナル原稿に戻したいという要求と、オリジナル原稿に書込みを行った状態の原稿のデータを残したいという要求とがある。この場合、オリジナル原稿に書込みを加えた原稿をスキャンしてその原稿画像データを読み取って記憶し、その後、書込みを加えた部分を加熱して書き込みを消去することで、上記の要求を実現することができる。しかしながら、この場合、原稿のスキャンと、原稿加熱との処理を順次行わなければならず手順が煩雑となり、また、書込みを行った後、ただちに書込みを消去してオリジナル原稿に戻したい、というような状況に対応するのは難しかった。
【０００７】
本発明は、上述のごとき実情に鑑みてなされたもので、オリジナル原稿に対して消色インクにより書き込まれた原稿画像を読み取って記録するとともに、消色インクを消去してオリジナル原稿に戻す処理を一連の動作で簡易に実行できるようにした画像読取装置を提供することを目的とする。
【課題を解決するための手段】
【０００８】
上記課題を解決するために、本発明の第１の技術手段は、原稿画像を読み取って画像データを生成する画像読取部を備えた原稿読取装置であって、原稿の搬送路中に設けられたヒータと、前記原稿読取装置の動作モードを制御する制御部とを有し、前記制御部により動作する動作モードとして、前記画像読取部により原稿画像を読み取った後、前記ヒータにより原稿を加熱する第１モードと、前記画像読取部により原稿画像を読み取った後、前記ヒータによる原稿の加熱を行わずに前記原稿を排出する第２モードと、を少なくとも有し、前記制御部は、前記第１モード、および前記第２モードを切り換えて実行することを特徴としたものである。
【０００９】
第２の技術手段は、第１の技術手段において、前記制御部により動作する動作モードとして、さらに前記画像読取部による原稿画像の読み取りを行わず、前記ヒータにより原稿を加熱する第３モードとを有し、前記制御部は、前記第１モード、前記第２モード、および前記第３モードを切り換えて実行することを特徴としたものである。
【００１０】
第３の技術手段は、第１または第２の技術手段において、前記ヒータが、前記原稿の搬送路中で、前記画像読取部の下流側に設けられていることを特徴としたものである。
【００１１】
第４の技術手段は、第１または第２の技術手段において、前記原稿搬送路が、前記ヒータによる原稿の加熱と、前記画像読取部による原稿画像の読み取りとを行うための搬送路を、複数回連続して前記原稿が循環する構成を有することを特徴としたものである。
【発明の効果】
【００１２】
本発明によれば、オリジナル原稿に対して消色インクにより書き込まれた原稿画像を読み取って記録するとともに、消色インクを消去してオリジナル原稿に戻す処理を一連の動作で簡易に実行できるようにした画像読取装置を提供することができる。
【図面の簡単な説明】
【００１３】
【図１】本発明に係る原稿読取装置の一実施形態を説明するための概略構成図である。
【図２】原稿読取装置の一実施形態における電気的構成の主要部を概略的に示すブロック図である。
【図３】消色インクによる書き込み時、および各動作モードの実行時の原稿の状態を説明するための図である。
【図４】本発明による原稿読取装置の動作モードの選択・実行処理の一例を説明するためのフローチャートである。
【図５】消去モードの実行時の原稿の状態を説明するための図である。
【図６】本発明による原稿読取装置の動作モードの選択・実行処理の他の例を説明するためのフローチャートである。
【図７】本発明に係る原稿読取装置の更に他の実施形態を説明するための概略図である。
【発明を実施するための形態】
【００１４】
（実施形態１）
図１は、本発明に係る原稿読取装置の一実施形態を説明するための概略構成図である。本実施形態の原稿読取装置１は、複写機（図示せず）の上部に設けられるもので、主として第２画像読取部５０を収容するＡＤＦ（Auto Document Feeder；自動原稿送り装置）１００と、第１画像読取部１０を収容する主走査部２００とから構成されている。ＡＤＦ１００は図示しないヒンジの回動によって主走査部２００に対して開閉可能となっている。
【００１５】
主走査部２００は、主として筐体３０と、透明なガラス板からなるプラテン板４０と、筐体３０内に収容される第１画像読取部１０とから構成されている。第１画像読取部１０は、光源１１および第１ミラー１２ａを保持する光源ユニット２１と、第２ミラー１２ｂおよび第３ミラー１２ｃを保持するミラーユニット２２と、レンズ１３と、ＣＣＤ１４とから構成された縮小光学系の画像読取部である。
【００１６】
主走査部２００は、プラテン板４０上にユーザにより載置された原稿画像の読み取りを行う原稿固定方式による画像読み取りと、ＡＤＦ１００によって自動的に原稿を搬送しながら原稿画像を読み取る原稿移動方式の両方式に対応している。
原稿固定方式によって原稿画像を読み取る場合、光源ユニット２１とミラーユニット２２は、原稿固定方式に対応したホームポジションにそれぞれ移動する。図１は、これら光源ユニット２１とミラーユニット２２とがホームポジションにある状態を示している。
そしてその後、光源ユニット２１が原稿に対して光を照射しながら一定の速度で副走査方向（紙面に対して左右方向）に移動して原稿の画像を走査し、それと同時にミラーユニット２２が同じく副走査方向に移動する。
【００１７】
光源ユニット２１から照射され原稿から反射した光は、光源ユニット２１に設けられた第１ミラー１２ａで反射した後、ミラーユニット２２が備える第２および第３ミラー１２ｂ，１２ｃによって１８０°光路変換される。そして第３ミラー１２ｃで反射された光はレンズ１３を介してＣＣＤ１４に結像し、電気的な画像データに変換される。
【００１８】
原稿移動方式によって原稿画像を読み取る場合、光源ユニット２１およびミラーユニット２２は、図１に示される状態のホームポジションに静止したまま、ＡＤＦ１００によって搬送され、ホームポジションの上部を通過する原稿に対して、光源１１からの光を走査する。そして原稿の表面で反射した光は、上述の原稿固定方式と同様に、第１ミラー１２ａによって反射した後、ミラーユニット２２の第２および第３ミラー１２ｂ，１２ｃによって１８０°光路変換され、レンズ１３を介してＣＣＤ１４に結像し、電気的な画像データに変換される。
【００１９】
図１に示されるように、ＡＤＦ１００は、主として原稿載置台１０１に載置された原稿を１枚ずつＡＤＦ１００の内部へ呼び込む呼び込みローラ７０と、呼び込まれた原稿を原稿搬送路Ｆに沿って搬送する複数対の搬送ローラ７１ａ，７１ｂと、給紙タイミングを調節するレジストローラ７２と、画像読み取りを終えた原稿を排紙トレイ１０２へ排出する排紙ローラ７３とから構成されている。そしてユニット化された第２画像読取部５０が略Ｕ字状に弧を描く原稿搬送路Ｆ内に収まるように配設されている。
【００２０】
第２画像読取部５０は、第１ミラー５２ａ、第２ミラー５２ｂ、第３ミラー５２ｃ、第４ミラー５２ｄ、レンズ５３およびＣＣＤ５４から構成された縮小光学系の画像読取手段であり、これらの各要素は１つの集合体をなすようにユニット化されてユニット用筐体６０に収容されている。なお、第２画像読取部５０において、光源５１、レンズ５３、およびＣＣＤ５４は、第１画像読取部１０を構成する各要素と同一のものである。
【００２１】
第２画像読取部５０は、ユーザから両面読み取りの要求がなされた際に、原稿搬送路Ｆを搬送される原稿の裏面側の画像を読み取る。具体的には、第１画像読取部１０によって原稿の表面側の画像が読み取られた後、その原稿は原稿搬送路Ｆに沿って排紙トレイ１０２へ向けて搬送される。そしてことのきに、原稿は第２画像読取部５０の光源５１の下部を通過する。
【００２２】
その際に第２画像読取部５０の光源５１は、原稿の裏面側へ向けて光を照射する。そして原稿の裏面から反射された光は、ガラス等の透明部材で形成された読取窓５５を通過し、第１〜第４ミラー５２ａ，５２ｂ，５２ｃ，５２ｄによって順次光路変換され、レンズ５３を介してＣＣＤ５４に結像し、電気的な画像データに変換される。
また、ＡＤＦ１００の下面は、主走査部２００のプラテン板４０上に載置された読み取り原稿を上から押さえる押え板８０となっている。この押え板８０は、第１画像読取部１０の光源１１に対峙する部分が開放可能な蓋体８１となっている。
【００２３】
本発明に係る実施形態の特徴として、ＡＤＦ１００の搬送路中で、第１ヒータ９１および第２ヒータ９２よりなるヒータユニット９０が設けられている。これら第１および第２ヒータ９１，９２は、オリジナル原稿に書き込まれた消色インクを消去するために設けられているもので、第１ヒータ９１により原稿の表面の消色インクを消去し、第２ヒータ９２により原稿の裏面の消色インクを消去する。
これら第１ヒータ９１および第２ヒータ９２は、第１画像読取部１０および第２画像読取部５０よりも下流側の搬送路に配置され、その搬送路を挟んで互いに対向して配置している。これにより熱が分散することなく、原稿を表裏から効率良く加熱することができるようになっている。
【００２４】
図２は、原稿読取装置の一実施形態における電気的構成の主要部を概略的に示すブロック図である。
本実施形態の原稿読取装置１は、主として制御部３０１、スキャナ部３０２、画像処理部３０３、記憶部３０４、通信部３０５、操作表示部３０６、原稿走査部駆動モータ３０７ａを駆動制御するドライバ３０７、原稿搬送ローラ駆動モータ３０８ａを駆動制御するドライバ３０８、第１ヒータ９１とこれを駆動するドライバ３０９、第２ヒータ９２とこれを駆動するドライバ３１０とを備えている。
【００２５】
制御部３０１は、装置全体の動作制御を管理する部分であり、ＣＰＵ（Central Processing Unit）、ＲＯＭ（Read Only Memory）、ＲＡＭ（Random Access Memory）等によって構成されている。
スキャナ部３０２は、図１に示す第１および第２画像読取部１０，５０の走査光学系を構成する。第１および第２画像読取部１０，５０の各ＣＣＤ１４，５４は、上記説明では光学縮小方式のＣＣＤ（Charge Coupled Devices）としているが、等倍光学方式のＣＩＳ（Contact Image Sensor）でもよい。第１画像読取部１０と第２画像読取部５０は、原稿画像の片面を読み取る場合と、両面を読み取る場合で使い分ける。本発明の画像読取部は、スキャナ部３０２により実現される。
【００２６】
画像処理部３０３は、第１画像読取部１０または第２画像読取部５０で読み取った光学データを、ページ単位で電気的な画像データに変換する。
記憶部３０４は、例えばＲＡＭ、ＥＥＰＲＯＭ（Electrically Erasable Programmable Read-Only Memory）、ハードディスクなどで構成され、制御部３０１によって制御される制御中のデータや、入力された各種指示内容、およびスキャナ部３０２で読み取った原稿の画像データ等を記憶する。
【００２７】
通信部３０５は、原稿読取装置１に対して通信回線を介して接続される外部機器２との間で通信を行うインタフェースを構成する。通信部３０５は、スキャナ部３０２で読み取られた画像データをコンピュータやモニタなどの外部機器２に送信する。外部機器では、画像データの各種処理や表示などを行うことができる。また、外部機器２として、プリンタなどの画像形成装置を接続することができる。外部接続されるプリンタは、原稿読取装置１と一体的に構成されたコピー機や複合機（ＭＦＰ（Multifunction Peripheral/Printer）の画像形成部であってもよい。原稿読取装置１がコピーモードである場合、原稿読取装置１に接続されるプリンタによって原稿から読み取った画像データの画像形成が行われる。
【００２８】
また、通信部３０５は、電話回線に接続し、スキャナ部３０２で読み取った原稿画像データをＦＡＸ通信により送信可能とし（ＳＣＡＮ ｔｏ ＦＡＸ）、また、スキャナ部３０２で読み取った原稿画像データのＥメールによる送信（ＳＣＡＮ ｔｏ Ｅｍａｉｌ）を可能とする。
【００２９】
操作表示部３０６は、画像読取り装置１において各種情報等を表示する表示部３１１と、ユーザが原稿読取装置１に対して各種動作指示や設定等を入力可能な操作入力部３１２とを含んで構成される。操作表示部３０６は、タッチパネルとして構成することができる。
【００３０】
原稿走査部駆動モータ３０７ａは、原稿固定方式によって原稿画像を読み取る場合に、光源ユニット２１およびミラーユニット２２を適宜の速度で副走査方向に移動させるためのモータであり、制御部３０１の制御に従って、ドライバ３０７により適宜駆動制御される。
原稿搬送ローラ駆動モータ３０８ａは、原稿搬送路Ｆに配置された呼び込みローラ７０、搬送ローラ７１、レジストローラ７２、排紙ローラ７３などの各ローラを駆動するモータであり、制御部３０１の制御に従って、ドライバ３０８により適宜駆動制御される。
【００３１】
第１ヒータ９１は、制御部３０１の制御に従って、ドライバ３０９によりｏｎ／ｏｆｆが制御される。同様に第２ヒータ９２は、制御部３０１の制御に従って、ドライバ３１０によりｏｎ／ｏｆｆが制御される。
【００３２】
本実施形態において、原稿読取装置１の制御部３０１は、複数の動作モードを選択的に実行することができる。一実施形態では、制御部３０１の制御により動作する動作モードとして、原稿読取部により原稿画像を読み取った後、ヒータにより原稿を加熱する第１モード（コピー／スキャン・消去モード）と、原稿読取部により原稿画像を読み取った後、ヒータによる原稿の加熱を行わずに原稿を排出する第２モード（コピー／スキャンモード）と、を少なくとも有している。制御部３０１は、これら第１モード、および第２モードを切り換えて実行する。動作モードの切り換えは、操作入力部３１２に対するユーザ操作によって実行させることができる。
【００３３】
上記コピー／スキャン・消去モードは、コピーもしくはスキャン処理を行うために原稿画像を読み取って画像データを生成した後、原稿をヒータにより加熱して、消色インクを消去する動作モードである。この動作モードを用いることで、オリジナル原稿に対して消色インクにより書き込まれた原稿画像を読み取って記録するとともに、消色インクを消去してオリジナル原稿に戻す処理を一連の動作で簡易に実行することができる。
【００３４】
また、上記コピー／スキャンモードは、ヒータにより加熱を行うことなく原稿画像を読み取るもので、従来から通常のコピーもしくはスキャン処理で実行されていた動作を行う。ここではユーザによる操作入力に従って、コピーまたはスキャン処理のいずれかが原稿読取装置１に設定される。コピー処理を行う場合には、原稿読取装置１が読み取った原稿画像の画像データを所定のプリンタ（画像形成装置）に送信して記録紙等に画像形成を行わせる。またスキャナ処理を行う場合には、読み取った原稿画像の画像データを記憶部３０４に記憶し、適宜画像データを利用する。例えば読み取った画像データを外部のコンピュータ等に転送して各種の処理を実行することができる。あるいは画像データをＥメールやＦＡＸにより外部機器に送信することができる。原稿読取装置１では、これら動作モードを選択的に切り替えることができる。
【００３５】
図３は、消色インクによる書き込み時、および各動作モードの実行時の原稿の状態を説明するための図で、図３（Ａ）は、非消色性のインク等によって描画されたオリジナル原稿に対して、消色インクによる書き込みを行った状態を説明する図、図３（Ｂ）は、消色インクで書き込みを行った原稿に対してコピー／スキャン・消去モードで処理を行ったときの原稿を示す図、図３（Ｃ）は、消色インクで書き込みを行った原稿に対して、コピー／スキャンモードで処理を行ったときの原稿を示す図である。
【００３６】
図３（Ａ）の例では、非消色性のインク等により描画されたオリジナル原稿１１０には、“ＡＢＣＤＥＦ”との文字が記載されている。このオリジナル原稿１１０に対して消色インクにて“ＧＨＩ”との書込みを加えることで、原稿１１１となる。
図３（Ｂ）では、上記の原稿１１１に対して、コピー／スキャン・消去モードにて処理を行う。ここではまず、ユーザは、原稿読取装置１の原稿載置台１０１に原稿１１１を載置し、コピー／スキャン・消去モードを設定する操作入力を行って、スタートボタンを押す。これにより、原稿１１１の搬送が開始され、スキャナ部３０２（第１画像読取部１０，第２画像読取部５０）による原稿画像の読み取りが行われる。これによりコピー／スキャン処理を実行することができる。
【００３７】
そして原稿画像が読み取られた原稿１１１は、搬送路上でスキャナ部３０２の下流側に設けられたヒータユニット９０により加熱され、消色インクによる記載“ＧＨＩ”が消去され、“ＡＢＣＤＥＦ”が記載されたオリジナル原稿１１０に戻され、排紙トレイ１２に排紙される。
【００３８】
コピー／スキャン・消去モードでは、原稿載置台１０１から搬送された原稿が排紙トレイ１０２に排紙されるまでの１回の原稿搬送により、原稿画像データの読み取りと、加熱による消色インクの消去が行われる。これにより、オリジナル原稿１１０に対して消色インクにより書き込まれた原稿１１１の画像を読み取って記録するとともに、消色インクを消去してオリジナル原稿１１０に戻す処理を一連の動作で簡易に実行することができる。
【００３９】
図３（Ｃ）では、オリジナル原稿に消色インクによる書き込みを加えた原稿１１１に対して、コピー／スキャンモードにて処理を行う。ここでは、ユーザは、原稿読取装置１の原稿載置台１０１に原稿１１１を載置し、コピー／スキャンモードを設定する操作入力を行って、スタートボタンを押す。これにより、原稿１１１の搬送が開始され、スキャナ部３０２により原稿画像データが読み取られる。そして原稿１１１は、ヒータユニット９０により加熱されることなく、原稿１１１の状態のまま排紙トレイ１２に排紙される。
【００４０】
図４は、本発明による原稿読取装置の動作モードの選択・実行処理の一例を説明するためのフローチャートである。
原稿読取装置１の制御部３０１は、操作入力部３１２に対するユーザの入力操作に従って、動作モードを選択する（ステップＳ１）。本実施形態では、原稿読取装置１は、少なくとも第１モードとしてコピー／スキャン・消去モードと、第２モードとしてコピー／スキャンモードとを実行可能である。
【００４１】
ユーザにより選択された動作モードが、コピー／スキャン・消去モードであった場合、原稿読取装置１は、原稿を搬送し、スキャナ部３０２で原稿画像を読み取って、読み取った原稿画像の画像データを記憶部３０４に記憶する（ステップＳ２）。そしてスキャナ部３０２で原稿画像が読み込まれた原稿に対してヒータユニット９０による加熱を行う（ステップＳ３）。これにより、消色インクによる書き込みを消去し、オリジナル原稿の状態で原稿を排出する。そして原稿読取装置１は、読み取った原稿画像の画像データを使用し、ユーザに設定された処理に応じてコピー／ＦＡＸ／ＳＣＡＮ ｔｏ Ｅｍａｉｌなどの処理を実行する（ステップＳ４）。
【００４２】
一方、ユーザにより選択された動作モードが、コピー／スキャンモードであった場合、原稿読取装置１は、原稿を搬送し、スキャナ部３０２で原稿画像を読み取って、読み取った原稿画像の画像データを記憶部３０４に記憶する（ステップＳ５）。ヒータユニット９０による加熱を行うことなく原稿を排出する。そして原稿読取装置１は、読み取った原稿画像の画像データを使用し、ユーザに設定された処理に応じてコピー／ＦＡＸ／ＳＣＡＮ ｔｏ Ｅｍａｉｌなどの処理を実行する（ステップＳ６）。
【００４３】
（実施形態２）
本発明の第２の実施形態の原稿読取装置は、上記実施形態が有する２つの動作モードに加えて、第３モードとして、原稿に対してヒータによる加熱のみを行う消去モードを備える。原稿読取装置は、第１モード（コピー／スキャン・消去モード）と第２モード（コピー／スキャンモード）に加えて、第３モード（消去モード）を選択的に実行することができる。
【００４４】
図５は、消去モードの実行時の原稿の状態を説明するための図である。この例では、原稿１１１は、非消色性のインク等により“ＡＢＣＤＥＦ”との文字が記載されたオリジナル原稿に対して、消色インクにて“ＧＨＩ”との書込みが加えられている。
ここではまず、ユーザは、原稿読取装置１の原稿載置台１０１に原稿１１１を載置し、消去モードを設定する操作入力を行って、スタートボタンを押す。これにより、原稿１１１の搬送が開始される。そして消去モードでは、スキャナ部３０２（第１画像読取部１０，第２画像読取部５０）による原稿画像の読み取りは行われず、搬送された原稿１１１は、ヒータユニット９０を通過し、排出トレイ１１２に排紙される。このとき、ヒータユニット９０により原稿を加熱し、消色インクで記載された“ＧＨＩ”を消去して、オリジナル原稿１１０の状態にする。
消去モードは、例えばユーザがオリジナル原稿に対して消色インクにより書込みを行った場合、消色インクによる書き込みを保存する必要がなく、単に使用後に消色インクを消去してオリジナル原稿の状態に戻したいときに有用な動作モードである。
【００４５】
図６は、本発明による原稿読取装置の動作モードの選択・実行処理の他の例を説明するためのフローチャートである。
原稿読取装置１の制御部３０１は、操作入力部３１２に対するユーザの入力操作に従って、動作モードを選択する（ステップＳ１）。原稿読取装置１は、第１モードとしてコピー／スキャン・消去モードと、第２モードとしてコピー／スキャンモードと、第３モードとして消去モードを実行可能である。
【００４６】
コピー／スキャン・消去モードが選択された場合、ステップＳ１〜Ｓ４の処理を実行する。またコピー／スキャンモードが選択された場合、ステップＳ５、およびステップＳ６の処理を実行する。この２つの動作モードは、実施形態１と共通し、その処理は図４のフローチャートと同じであるため、その繰り返しの説明は省略する。
ユーザにより選択された動作モードが、消去モードであった場合、原稿読取装置１は、原稿を搬送し、スキャナ部３０２で原稿画像を読み取ることなく、ヒータユニット９０による原稿の加熱を行う（ステップＳ７）。これにより、消色インクによる書き込みを消去し、オリジナル原稿の状態で原稿を排出する。
【００４７】
（実施形態３）
図７は、本発明に係る原稿読取装置の更に他の実施形態を説明するための概略図で、原稿となる記録紙を循環させて繰り返し原稿画像を読み取ることができる循環式原稿搬送装置（ＲＤＨ）を備えた原稿読取装置の構成を示すものである。本発明の実施形態に係る処理は、図７示す原稿読取装置によっても実施可能である。
図７において、４００は原稿読取装置、４０１は給紙ローラ、４０２は返送用搬送路、４０３ａ，４０３ｂは返送ローラ、４０５は原稿、４０６は光源、４０７は原稿収納部、４０８は送り出しベルト、４０９ａ，４０９ｂは送り出しローラ、５００は結路、５０１は搬送路、５０２はモータ、５０３は原稿載置部、５０５は搬送ローラ、５０６はモータ、５０７は駆動ローラ、５０８は読取位置、５０９は搬送ベルト、６００は透明板、６０１は従動ローラ、６０２はモータである。また、搬送路５０１には、第１ヒータ９１および第２ヒータ９２よりなるヒータユニット９０が設けられている。ヒータユニット９０の設置位置は、搬送路上で画像読取装置の上流側の位置になる。
【００４８】
原稿読取装置４００は、下取り上戻し方式の循環式原稿送給モード（ＲＤＨモード）と、手差しによる１枚毎セット方式の個別式原稿送給モード（ＳＤＦモード）との切換えが可能である。
ＲＤＨモードの場合は、原稿収納部となる原稿収納部４０７に積み重ねて収容された原稿４０５は、原稿収納部４０７の直下位置に設けられた送り出しベルト４０８によって最下位置の原稿４０５から順に送り出され、送り出しベルト４０８の下流側に設けられる一対の送り出しローラ４０９ａ，４０９ｂ間を通過して搬送路５０１を経て、搬送ローラ５０５によって搬送される。搬送ローラ５０５は、送り出しローラ４０９ａ，４０９ｂの下流側に設けられる搬送路５０１の直下方に配置され、モータ５０２によって回転駆動される。搬送ローラ５０５は、原稿４０５を反転させながら読取位置５０８に搬送する。
【００４９】
読取位置５０８に搬送された原稿４０５は、搬送ベルト５０９によって透明板６００に押付けられ、光源による露光領域で露光され、原稿画像が読み取られる。搬送ベルト５０９は、モータ５０６によって回転駆動される駆動ローラ５０７と、駆動ローラ５０７に対向して設けられる従動ローラ６０１との間に無端状に張架され、矢符の方向に回転される。
そして原稿画像が読み取られた原稿４０５は、搬送ベルト５０９によって搬送され、給紙ローラ４０１で反転搬送された後、返送用搬送路４０２および一対の返送ローラ４０３ａ，４０３ｂを経て、原稿収納部４０７における最上位置の原稿４０５上に戻される。この場合原稿４０５は、１回目に搬送される前と同じ面を上にして原稿収納部４０７に収納される。この動作を２回繰り返すことにより、搬送路上を２回繰り返して原稿を搬送することができる。
【００５０】
また、搬送ローラ５０５を挟んで読取位置５０８と反対側の位置には、手差しで原稿４０５を１枚ずつ載置することができる原稿載置部５０３が設けられる。原稿載置部５０３はＳＤＦモードの送給時に用いられ、原稿載置部５０３に載置された１枚の原稿４０５が、搬送ローラ５０５によって搬送され、以後はＲＤＨモードの場合と同様の経路を巡って原稿収納部４０７に戻される。搬送ローラ５０５は、ＲＤＨモードの場合は原稿搬送の役割を成し、ＳＤＦモードの場合は原稿引込みの役割を成し、共用のローラとして機能している。ここでは、原稿載置部５０３に載置された原稿を搬送ローラ５０５で引き込んで、原稿の下面側の原稿画像を読み取って原稿収納部４０７に戻し、戻された原稿４０５を原稿収納部４０７から搬送して再度原稿画像を読み取ることにより、原稿の同じ面の画像を２回繰り返して読み取ることができる。
また、両面読取りモードの場合には、２回目の読み取り時に、搬送された原稿が位置Ａに達した時点で搬送ローラ５０５を反転させて、原稿収納部４０７で下面側になっている面の画像を読み取る。これにより原稿の両面の画像を読み取ることができる。
【００５１】
本実施形態の原稿読取装置４００は、実施形態１と同様に、原稿読取部により原稿画像を読み取った後、ヒータにより原稿を加熱する第１モード（コピー／スキャン・消去モード）と、原稿読取部により原稿画像を読み取った後、前記ヒータによる原稿の加熱を行わずに原稿を排出する第２モード（コピー／スキャンモード）と、を少なくとも選択的に実行可能である。また、実施形態２と同様にさらに第３モード（消去モード）を選択的に事項可能とすることができる。
【００５２】
原稿読取装置４００は、コピー／スキャン・消去モードを実行する場合、まず一回目の原稿搬送時に、ヒータユニット９０による原稿の加熱を行うことなく、読取位置５０８で原稿画像の読み取りを行う。そして原稿は搬送路を一周し、原稿収納部４０７に戻される。
このまま連続して２回目の搬送を開始し、２回目の搬送において、原稿をヒータユニット９０で加熱して、消色インクにより加えられた書込みを消去する。２回目の搬送では、原稿画像の読み取りを行う必要なく、そのまま原稿収納部４０７に原稿を戻す。
２回目の搬送が終了した時点で、消色インクにより書き込まれた原稿の画像データが記憶されるとともに、消色インクが消去されてオリジナル原稿の状態になった原稿が得られる。
【００５３】
これにより、原稿収納部４０７から搬送された原稿を連続して２回搬送することで、１連の原稿搬送動作により、原稿画像データの読み取りと、加熱による消色インクの消去が行われる。これにより、オリジナル原稿１１０に対して消色インクにより書き込まれた原稿１１１の画像を読み取って記録するとともに、消色インクを消去してオリジナル原稿１１０に戻す処理を一連の動作で簡易に実行することができる。
【００５４】
また、コピー／スキャンモードでは、原稿の片面のみの原稿画像を読み取る場合には、搬送路を一回搬送すればよい。この場合には、ヒータユニット９０による原稿の加熱を行う必要はない。コピー／スキャンモードで原稿の両面の画像を読み取る場合には、２回目の搬送時に、搬送ローラ５０５を反転させて原稿を表裏判定させることで、読取位置５０８で両面の画像を読み取ることができる。
【００５５】
また、消去モードにおいても、搬送路を一回搬送すればよい。この場合には、原稿収納部４０７から搬送した原稿に対してヒータユニット９０による原稿の加熱を行うことで、消色インクによる書込みを消去することができる。また、両面の画像を加熱するか、片面ののみを加熱するかに応じては、ヒータユニット９０の両側のヒータ（第１ヒータ９１、第２ヒータ９２）を使い分ける。また、第１ヒータ９１と第２ヒータ９２のいずれかのみを設けて、搬送路を連続して２回搬送し、２回目の搬送時に搬送ローラ５０５を反転させて原稿を表裏反転させることで、原稿の両面を加熱することができる。
【００５６】
また、ヒータユニット９０は、原稿収納部４０７から読取位置５０８までの間の搬送路上に設けられるが、読取位置５０８から原稿収納部４０７の間に設けてもよい。原稿収納部４０７から読取位置５０８までの間の搬送路上にヒータユニット９０を設ける場合は、
ヒータユニット９０をＯｎにして画像読取りを行うことで、一回の搬送を行うだけで、原稿画像の読み取りと、加熱による消色インクの消去とを行うことができる。
本実施形態では、原稿搬送路の構成を除いて実施形態１、２と同様の動作を行うため、上記本実施形態を特徴付ける部分を除いて、その繰り返しの説明は省略する。
【００５７】
上記の各実施形態で記載されている技術的特徴（構成要件）は、お互いに組み合わせ可能であり、組み合わせることにより、新しい技術的特徴を形成することができる。
【符号の説明】
【００５８】
１…原稿読取装置、２…外部機器、１０…第１画像読取部、１１…光源、１２…排紙トレイ、１２ａ…第１ミラー、１２ｂ…第２ミラー、１２ｃ…第３ミラー、１３…レンズ、１４…ＣＣＤ、２１…光源ユニット、２２…ミラーユニット、３０…筐体、４０…プラテン板、５０…第２画像読取部、５１…光源、５２ａ…第１ミラー、５２ｂ…第２ミラー、５２ｃ…第３ミラー、５２ｄ…第４ミラー、５３…レンズ、５４…ＣＣＤ、５５…読取窓、６０…ユニット用筐体、７０…呼び込みローラ、７１…搬送ローラ、７１ａ…搬送ローラ、７２…レジストローラ、７３…排紙ローラ、８０…押え板、８１…蓋体、９０…ヒータユニット、９１…第１ヒータ、９２…第２ヒータ、１００…ＡＤＦ、１０１…原稿載置台、１０２…排紙トレイ、１１０…オリジネル原稿、１１１…原稿、１１２…排出トレイ、２００…主走査部、３０１…制御部、３０２…スキャナ部、３０３…画像処理部、３０４…記憶部、３０５…通信部、３０６…操作表示部、３０７…ドライバ、３０７ａ…原稿走査部駆動モータ、３０８…ドライバ、３０８ａ…原稿搬送ローラ駆動モータ、３０９…ドライバ、３１０…ドライバ、３１１…表示部、３１２…操作入力部、４００…原稿読取装置、４０１…給紙ローラ、４０２…返送用搬送路、４０３ａ…返送ローラ、４０５…原稿、４０７…原稿収納部、４０８…送り出しベルト、４０９ａ…ローラ、５０１…搬送路、５０２…モータ、５０３…原稿載置部、５０５…搬送ローラ、５０６…モータ、５０７…駆動ローラ、５０８…読取位置、５０９…搬送ベルト、６００…透明板、６０１…従動ローラ。
【図１】
2016092495.tif 000003
【図２】
2016092495.tif 000004
【図３】
2016092495.tif 000005
【図４】
2016092495.tif 000006
【図５】
2016092495.tif 000007
【図６】
2016092495.tif 000008
【図７】
2016092495.tif 000009